(57)【要約】【課題】防水性を備えると共に、鉛筆で記入できるスコアカードを提供する。【解決手段】競技に関する表示及び記録記入を行なう競技表示・記録記入欄２が表面に印刷されたスコアカード本体３の表面及び裏面が、プラスチックシート４，５によってラミネート加工されて被包されると共に、競技表示・記録記入欄２が印刷されるスコアカード本体３の表面側のプラスチックシート４は透明の材質で形成され、その表面４ａは鉛筆書き可能なマット加工が施されているスコアカード１を提供する。前記競技表示・記録記入欄２は、スコアカード本体３表面の左右部に夫々印刷された左右表１１，１２を有し、左右表１１，１２には、夫々、ホール番号を表示するホール番号表示欄１５、ホールの距離を記入する距離記入欄１６、本人及び同伴プレイヤーの氏名記入欄１７、及び、スコアを記入するスコア記入欄１８が印刷されている。【選択図】図１
0003138330.tif 000002
【実用新案登録請求の範囲】
【請求項１】
競技に関する表示及び記録記入を行なう競技表示・記録記入欄が表面に印刷されたスコアカード本体の表面及び裏面が、プラスチックシートによってラミネート加工されて被包されると共に、前記競技表示・記録記入欄が印刷される前記スコアカード本体の表面側の前記プラスチックシートは透明の材質で形成され、その表面は鉛筆書き可能なマット加工が施されていることを特徴とするスコアカード。
【請求項２】
競技に関する表示及び記録記入を行なう競技表示・記録記入欄が表面及び裏面に印刷されたスコアカード本体の表面及び裏面が、プラスチックシートによってラミネート加工されて被包されると共に、前記競技表示・記録記入欄が印刷される前記スコアカード本体の表面及び裏面側の前記プラスチックシートは透明の材質で形成され、その表面は鉛筆書き可能なマット加工が施されていることを特徴とするスコアカード。
【請求項３】
前記競技表示・記録記入欄には、パークゴルフ競技のための競技表示・記録記入欄が印刷されていることを特徴とする請求項１又は２記載のスコアカード。
【請求項４】
前記競技表示・記録記入欄は、前記スコアカード本体表面の左右部に夫々印刷された左右表を有し、前記左右表には、夫々、ホール番号を表示するホール番号表示欄、ホールの距離を記入する距離記入欄、本人及び同伴プレイヤーの氏名記入欄、及び、スコアを記入するスコア記入欄が印刷されていることを特徴とする請求項１乃至３のうちいずれか一に記載のスコアカード。
【請求項５】
前記競技表示・記録記入欄が印刷されたスコアカード本体面に、前記競技表示・記録記入欄と離反させて広告が印刷されていることを特徴とする請求項１乃至４のうちいずれか一に記載のスコアカード。
【考案の詳細な説明】
【技術分野】
【０００１】
本考案は、雨や、汗、水に強い防水性を備えると共に、鉛筆で記入できるゴルフのスコアカード、特にパークゴルフ競技に好適に使用できるスコアカードに関する。
【背景技術】
【０００２】
此種従来のゴルフのスコアカードとしては、紙製のスコアカードが一般的に用いられている。然しながら、紙製のスコアカードは、雨や、汗、水等に濡れてしまうと、記入出来なくなったり、スコアが見えなくなったり、破損してしまう等の問題が生じていた。
そこで、雨や、汗、水等の対策のために、防水製のスコアカード、例えば、プラスチックのコーティングや、プラスチックのフィルムを貼付する等のスコアカードが考えられるが、プラスチックのコーティングや、プラスチックのフィルムを貼付することによって、鉛筆等でのスコアカードへの記入が困難になるか、又は、記入しても記入した文字等が消えてしまう問題があり実用的ではないという問題がある。
【０００３】
尚、此種の先行文献として特許文献１があり、特許文献１にはゴルフ用スコアカードの両端を挿入させて被包し、記入欄を露出させる透明ケースが記載されている。
【特許文献１】登録実用新案第３１１３５４５号公報
【考案の開示】
【考案が解決しようとする課題】
【０００４】
前述したように、紙製のスコアカードは、雨や、汗、水等に濡れてしまうと、記入出来なくなったり、スコアが見えなくなったり、破損してしまう等の問題があり、一方、プラスチックのコーティングや、プラスチックのフィルムを貼付する等のスコアカードは、鉛筆等でのスコアカードへの記入が困難になるか、又は、記入しても記入した文字等が消えてしまう問題があり、更に、特許文献１の場合は、露出部分が雨や、汗、水等に濡れてしまう虞があり、これらの問題を解決するスコアカードが望まれている。
【０００５】
以上の現状に鑑み、本考案の目的は、防水性を備えると共に、鉛筆で記入できるスコアカードを提供することを目的とする。
【課題を解決するための手段】
【０００６】
上記の課題を解決すべく、本考案は以下の構成を提供する。
請求項１に係る考案は、競技に関する表示及び記録記入を行なう競技表示・記録記入欄が表面に印刷されたスコアカード本体の表面及び裏面が、プラスチックシートによってラミネート加工されて被包されると共に、前記競技表示・記録記入欄が印刷される前記スコアカード本体の表面側の前記プラスチックシートは透明の材質で形成され、その表面は鉛筆書き可能なマット加工が施されていることを特徴とするスコアカードを提供するものである。
【０００７】
請求項２に係る考案は、競技に関する表示及び記録記入を行なう競技表示・記録記入欄が表面及び裏面に印刷されたスコアカード本体の表面及び裏面が、プラスチックシートによってラミネート加工されて被包されると共に、前記競技表示・記録記入欄が印刷される前記スコアカード本体の表面及び裏面側の前記プラスチックシートは透明の材質で形成され、その表面は鉛筆書き可能なマット加工が施されていることを特徴とするスコアカードを提供するものである。
請求項３に係る考案は、前記競技表示・記録記入欄には、パークゴルフ競技のための競技表示・記録記入欄が印刷されていることを特徴とする請求項１又は２記載のスコアカードを提供するものである。
【０００８】
請求項４に係る考案は、前記競技表示・記録記入欄は、前記スコアカード本体表面の左右部に夫々印刷された左右表を有し、前記左右表には、夫々、ホール番号を表示するホール番号表示欄、ホールの距離を記入する距離記入欄、本人及び同伴プレイヤーの氏名記入欄、及び、スコアを記入するスコア記入欄が印刷されていることを特徴とする請求項１乃至３のうちいずれか一に記載のスコアカードを提供するものである。
【０００９】
請求項５に係る考案は、前記競技表示・記録記入欄が印刷されたスコアカード本体面に、前記競技表示・記録記入欄と離反させて広告が印刷されていることを特徴とする請求項１乃至４のうちいずれか一に記載のスコアカードを提供するものである。
【考案の効果】
【００１０】
本考案の請求項１記載の考案によれば、防水性を備えると共に、鉛筆で記入できるスコアカードを提供することができる。
【００１１】
請求項２記載の考案によれば、防水性を備えると共に、表面及び裏面の両面に鉛筆で記録記入ができるスコアカードを提供することができる。
【００１２】
請求項３記載の考案によれば、請求項１又は２記載の考案の効果に加え、パークゴルフ競技用として使用できるスコアカードを提供することができる。
【００１３】
請求項４記載の考案によれば、請求項１乃至３のうちいずれか一に記載の考案の効果に加え、競技表示・記録記入欄に、ホールの距離、本人及び同伴プレイヤーの氏名、及びスコアを記入可能なスコアカードを提供することができる。
【００１４】
請求項８記載の考案によれば、請求項１乃至４のうちいずれか一に記載の考案の効果に加え、広告によるＰＲを行なうことができる。
【考案を実施するための最良の形態】
【００１５】
以下、実施例を示した図面を参照しつつ本考案の実施の形態を説明する。
図１（ａ）は本考案の第１実施例のスコアカードの平面図、同図（ｂ）は図１（ａ）のＡ−Ａ線断面図、図１（ｃ）は図１（ｂ）の一部拡大図である。
図１（ａ）乃至（ｃ）に於いて、１は本考案の第１実施例のスコアカードであり、スコアカード１は、競技に関する表示及び記録記入を行なう競技表示・記録記入欄２が表面に印刷されたスコアカード本体３の表面及び裏面が、ポリエステル・ポリエチレン・ＥＶＡ等の材質からなるプラスチックシート４，５によってラミネート加工されて被包されたスコアカードである。
【００１６】
そして、前記競技表示・記録記入欄２が印刷されるスコアカード本体３の表面側のプラスチックシート４は透明の材質で形成され、その表面４ａは鉛筆書き可能なマット加工（つや消し加工）が施されている。
更に、マット加工が施されたプラスチックシート４上に書かれた鉛筆書きの文字等は消しゴムや、濡れた布等で消去できるよう構成されている。これにより、使い捨てることなく何回でも利用することが可能となる。
鉛筆書き可能なマット加工は、ラミネート加工前に、予めプラスチックシート４に施されたものであるが、ラミネート加工後に施すことも可能である。
【００１７】
本考案の第１実施例のスコアカード１は、スコアを競う種々の競技に用いるスコアカードとして適用可能であるが、図示されたスコアカード１は、ゴルフ競技、特に、パークゴルフ競技のための競技表示・記録記入欄２が印刷されたものであり、競技表示・記録記入欄２は、スコアカード本体３表面の左右部に夫々印刷される左右表１１，１２と、後述するその他の表示・記入欄１３とを有し、スコアカード１には、競技表示・記録記入欄２の他に広告１４が適宜印刷される。
【００１８】
前記左右表１１，１２は各１列目にホール番号表示欄１５、２列目に距離記入欄１６が印刷され、３列目以降の最上行に本人及び同伴プレイヤーの氏名を記入する氏名記入欄１７、氏名記入欄１７の下行以降にスコア記入欄１８が印刷されている。
氏名記入欄１７には本人及び３名の同伴プレイヤーを合わせた４名の氏名を記入できる欄が印刷され、左表１１の前記スコア記入欄１８には、本人又は同伴プレイヤー毎に夫々Ａ列記入欄１８ａ及びＢ列記入欄１８ｂから成る２列の記入欄が印刷され、右表１２の前記スコア記入欄１８には、本人又は同伴プレイヤー毎に夫々Ｃ列記入欄１８ｃ及びＤ列記入欄１８ｄから成る２列の記入欄が印刷されている。
各Ａ列記入欄１８ａ、Ｂ列記入欄１８ｂ、Ｃ列記入欄１８ｃ、Ｄ列記入欄１８ｄは、夫々９ホール分の記入欄となっており、Ａ列記入欄１８ａとＢ列記入欄１８ｂとで１８ホール１ラウンド、Ｂ列記入欄１８ｃとＤ列記入欄１８ｄとで１８ホール１ラウンドとなるように構成されている。
【００１９】
又、スコア記入欄１８の下行には、スコア記入欄１８の各列毎に９ホール分を集計した小計を記入する小計記入欄２１が印刷され、小計記入欄２１の下行には、Ａ列及びＢ列の小計記入欄２１、又は、Ｃ列及びＤ列の小計記入欄２１を合計して本人又は同伴プレイヤー毎の１ラウンドの合計を記入する合計記入欄２２が印刷されている。
【００２０】
更に、右表１２の最下端行には、左表１１と右表１２の１ラウンドの合計記入欄２２を各本人又は同伴プレイヤー毎に夫々２ラウンド分総合計して記入する総合計記入欄２３が印刷されている。
【００２１】
そして、前述したその他の表示・記入欄１３として、前記左表１１の上方左半部にコース名記入欄３１、左表１１の上方右半部にプレー日記入欄３２が印刷され、左表１１の下方に本人の氏名を記入するプレイヤー名記入欄３３が印刷されている。
【００２２】
前記広告１４は、プレイヤー名記入欄３３の下方のスコアカード本体３表面の余白部に印刷されている。
尚、前記広告１４の印刷は任意であり、必要ない場合は印刷されない。又、広告１４を印刷しない場合は、その分スコアカード１を小さく作成しても良い。更に、前記広告１４はスコアカード本体３表面の余白部以外の競技表示・記録記入欄２に、その表示・記録に支障のないような形で、例えば、薄い印刷等で印刷することも可能である。
【００２３】
又、前述した競技表示・記録記入欄２及び前記広告１４の配置又は構成は一例であり、前述の配置又は構成に限定されるものではなく、利便性等を考慮して適宜配置することも可能である。
【００２４】
図２は本考案の第１実施例のスコアカード１のラミネート加工状態を示しており、同図に於いては、スコアカード１の上端部がラミネートされ、下端部が未だラミネートされない状態を示している。
図示するようにスコアカード本体３の両面をプラスチックシート４，５で挟んだ状態で被包して、図示しない熱圧着ローラで圧着すれば、スコアカード本体３がプラスチックシート４，５でラミネートされる。
【００２５】
前述したように、本考案の第１実施例のスコアカード１は、競技表示・記録記入欄２が印刷されるスコアカード本体３の表面及び裏面が、プラスチックシート４，５によってラミネート加工されて被包され、競技表示・記録記入欄２が印刷されるスコアカード本体３の表面側のプラスチックシート４は透明の材質で形成され、その表面４ａは鉛筆書き可能なマット加工が施されているスコアカードである。
これにより、本考案の第１実施例のスコアカード１は、防水性を備えると共に、競技表示・記録記入欄２に対応させて、プラスチックシート４の表面４ａに鉛筆で記録記入が可能である。
【００２６】
図３（ａ）は本考案の第２実施例のスコアカード４１の平面図、図３（ｂ）は本考案の第２実施例のスコアカード４１の底面図を示したものである。
スコアカード４１は、前記スコアカード（図１に於いて１）のスコアカード本体（図１に於いて３）に代えて、前記競技表示・記録記入欄２が表面と裏面の両面に印刷されたスコアカード本体４２を設け、前記スコアカード本体（図１に於いて３）の裏面側のプラスチックシート（図１に於いて５）に代えて、スコアカード本体４２の裏面側に透明の材質で形成され、その表面４３ａに鉛筆書き可能なマット加工が施されているプラスチックシート４３を設けるものである。尚、スコアカード本体４２の裏面側の競技表示・記録記入欄２は、図３（ｂ）に示すように、スコアカード４１の使用上の利便性のために、表面側の競技表示・記録記入欄２に対して上下逆方向に印刷されるが、これに限定されるものではなく、上下正方向に印刷されても良い。又、広告１４は必要に応じてスコアカード本体４２の表裏面の適宜箇所に適宜印刷される。
【００２７】
従って、本考案の第２実施例のスコアカード４１は、表面と裏面の両面に競技表示・記録記入欄２が印刷されたスコアカード本体４２の表面と裏面がプラスチックシート４，４３によってラミネートされ、プラスチックシート４，４３は透明の材質で形成され、その表面４ａ，４３ａは夫々鉛筆書き可能なマット加工が施されて、プラスチックシート４，４３の表面４ａ，４３ａに鉛筆書きができるものである。
【００２８】
これにより、本考案の第２実施例のスコアカード４１は、防水性を備えると共に、スコアカード４１の表面及び裏面の両面の競技表示・記録記入欄２，２に対応させて、プラスチックシート４、４３の表面４ａ、４３ａに鉛筆で記録記入が可能である。
【図面の簡単な説明】
【００２９】
【図１】（ａ）本考案による第１実施例のスコアカードの平面図である。（ｂ）前図１（ａ）のＡ−Ａ線断面図である。（ｃ）前図１（ｂ）の一部拡大図である。
【図２】本考案による第１実施例のスコアカードのラミネート加工状態を示す側面断面図である。
【図３】（ａ）本考案による第２実施例のスコアカードの平面図である。（ｂ）本考案による第２実施例のスコアカードの底面図である。
【符号の説明】
【００３０】
１，４１  スコアカード
２  競技表示・記録記入欄
３，４２  スコアカード本体
４，５，４３  プラスチックシート
４ａ，４３ａ  表面
１１  左表
１２  右表
１４  広告
１５  ホール番号表示欄
１６  距離記入欄
１７  氏名記入欄
１８  スコア記入欄
【図１】
0003138330.tif 000003
【図２】
0003138330.tif 000004
【図３】
0003138330.tif 000005